(57)【要約】      （修正有）【課題】フィルムの巻き始めに皺や折れが発生するのを抑制または防止することができるフィルム巻取装置を提供する。【解決手段】フィルム巻取装置１は、フィルム２の供給方向の上流側と下流側とに隣り合わせに配置されかつ巻芯３にフィルム２を押し付けるための上流側ローラ４および下流側ローラ５と、巻芯３にフィルム２の先端を巻き付けるための巻き付け手段８とを含む。巻き付け手段８は、巻き付け部材８１にフィルム２の先端を吸着した状態でフィルム２を巻芯３に覆い被せるように巻き付け部材８１を上流側ローラ４側に動かして、この巻き付け部材８１からそれに吸着させているフィルム２の先端を離して巻芯３において上流側ローラ４寄りの部位へ向かわせるように構成されている。【選択図】図１
0003200506.tif 000002
【実用新案登録請求の範囲】
【請求項１】
フィルムの先端を巻芯に巻き付けて、前記巻芯を回転させることにより前記フィルムを巻き取るフィルム巻取装置であって、
前記フィルムの供給方向の上流側と下流側とに隣り合わせに配置されかつ前記巻芯に前記フィルムを押し付けるための上流側ローラおよび下流側ローラと、
前記巻芯に前記フィルムの先端を巻き付けるための巻き付け手段とを含み、
前記巻き付け手段は、巻き付け部材に前記フィルムの先端を吸着した状態で当該フィルムを前記巻芯に覆い被せるように前記巻き付け部材を前記上流側ローラ側に動かして、この巻き付け部材からそれに吸着させている前記フィルムの先端を離して前記巻芯において前記上流側ローラ寄りの部位へ向かわせるように構成されている、ことを特徴とするフィルム巻取装置。
【請求項２】
請求項１に記載のフィルム巻取装置において、
前記巻き付け手段は、前記巻き付け部材に前記フィルムの先端を吸着する状態または前記巻き付け部材に吸着されたフィルムの先端を離す状態にするための圧力調整手段と、
前記巻き付け部材に前記フィルムの先端を吸着した状態で当該フィルムを前記巻芯に覆い被せるように前記巻き付け部材を動かすための駆動手段とを含む、ことを特徴とするフィルム巻取装置。
【請求項３】
請求項１または２に記載のフィルム巻取装置は、
前記巻芯に覆い被せた前記フィルムの先端を前記巻芯において前記上流側ローラ寄りの部位に押し付けるための押し込み手段をさらに含む、ことを特徴とするフィルム巻取装置。
【請求項４】
請求項３に記載のフィルム巻取装置において、
前記押し込み手段は、薄肉板状の押し込み部材と、この押し込み部材を先端側に支持するアームと、このアームの基端を支点として当該アームを回動させることにより前記押し込み部材を前記巻芯において前記上流側ローラ寄りの部位へ接近させる駆動手段とをさらに含む、ことを特徴とするフィルム巻取装置。
【請求項５】
請求項１から４のいずれか１項に記載のフィルム巻取装置は、
前記上流側ローラおよび前記下流側ローラをその中心軸周りに回転駆動するための駆動手段と、
前記巻芯を前記上流側ローラおよび前記下流側ローラに押し付けるためのプレスローラとをさらに含む、ことを特徴とするフィルム巻取装置。
【請求項６】
請求項１から５のいずれか１項に記載のフィルム巻取装置は、
前記下流側ローラにおいて前記上流側ローラと反対側の退避位置へ向けてフィルム満巻き状態の巻芯を転動させながら案内するための案内路と、この案内路の途中に設けられて前記フィルムを切断するための切断装置とをさらに含み、
前記上流側ローラと前記下流側ローラとが横並びに配置され、前記巻芯は前記上流側ローラと前記下流側ローラとの間の上側に載せられていて、前記巻き付け部材は前記下流側ローラと前記案内路の入口との間の位置に配置されていて、
前記巻き付け手段は、前記満巻き状態の巻芯を前記退避位置に移動させた状態で前記フィルムを切断してから、当該フィルムの切断端（先端）を前記巻き付け部材に吸着させて当該巻き付け部材を前記上流側ローラの上側位置へ移動させる、ことを特徴とするフィルム巻取装置。
【考案の詳細な説明】
【技術分野】
【０００１】
本考案は、フィルムを巻き取るフィルム巻取装置に関する。
【背景技術】
【０００２】
特許文献１，２には、シートまたはフィルムを巻き取る巻取装置が記載されている。フィルムの巻き取りが進行するに伴い巻芯の外径寸法が増大するので、当該外径寸法が所定値に達すると、前記巻芯を新たな巻芯に交換する必要がある。
【０００３】
この巻芯の交換は、前記フィルムを切断して前記巻き終わった巻芯を巻取位置から退避位置に移動させてから、前記巻取位置に新たな巻芯を配置し、この新たな巻芯に前記フィルムの切断端を巻き付けるようにして、巻き取り動作を再開するようにしている。
【先行技術文献】
【特許文献】
【０００４】
【特許文献１】特開２０１４−１５９３１６号公報
【特許文献２】特開２０１４−１３３６０８号公報
【考案の概要】
【考案が解決しようとする課題】
【０００５】
ところで、前記フィルムの切断端を新たな巻芯に巻き始める際には、前記フィルムの切断端が皺になったり、折れたりすることがある。その状態でフィルムの巻き取りを進行すると、当該フィルムにおいて前記皺や折れがそれらに重なる部分の多数層に転写されることになるために、当該多数層の部分が使えなくなるなど、ロスが発生する。
【０００６】
このような事情に鑑み、本考案の目的は、フィルム巻取装置において、フィルムの巻き始めに皺や折れが発生するのを抑制または防止することである。
【課題を解決するための手段】
【０００７】
本考案は、フィルムの先端を巻芯に巻き付けて、前記巻芯を回転させることにより前記フィルムを巻き取るフィルム巻取装置であって、前記フィルムの供給方向の上流側と下流側とに隣り合わせに配置されかつ前記巻芯に前記フィルムを押し付けるための上流側ローラおよび下流側ローラと、前記巻芯に前記フィルムの先端を巻き付けるための巻き付け手段とを含み、前記巻き付け手段は、巻き付け部材に前記フィルムの先端を吸着した状態で当該フィルムを前記巻芯に覆い被せるように前記巻き付け部材を前記上流側ローラ側に動かして、この巻き付け部材からそれに吸着させている前記フィルムの先端を離して前記巻芯において前記上流側ローラ寄りの部位へ向かわせるように構成されている、ことを特徴としている。
【０００８】
この構成では、前記巻芯にフィルムの先端を巻き始めるにあたって、前記フィルムの先端を前記巻き付け部材に吸着することにより皺や折れが発生しないように固定しておいて、この巻き付け部材に吸着されたフィルムを前記巻芯に覆い被せるように前記巻き付け部材を動かすようにしている。
【０００９】
これにより、前記巻芯に前記フィルムの先端に皺や折れを発生させることなく巻き始めることができるから、従来例で指摘したような巻芯に巻き取ったフィルムのロスを抑制または防止できるようになる。
【００１０】
ところで、前記巻き付け手段は、前記巻き付け部材に前記フィルムの先端を吸着する状態または前記巻き付け部材に吸着されたフィルムの先端を離す状態にするための圧力調整手段と、前記巻き付け部材に前記フィルムの先端を吸着した状態で当該フィルムを前記巻芯に覆い被せるように前記巻き付け部材を動かすための駆動手段とを含む、構成とすることができる。
【００１１】
この構成では、前記巻き付け手段の機能を実現するための構成を特定しており、これにより、前記巻芯に前記フィルムを巻き始めるときの動作が明確になる。
【００１２】
また、前記フィルム巻取装置は、前記巻芯に覆い被せた前記フィルムの先端を前記巻芯において前記上流側ローラ寄りの部位に押し付けるための押し込み手段をさらに含む、構成とすることができる。
【００１３】
この構成では、前記巻芯に前記フィルムの先端を巻き付ける動作の終盤において前記フィルムの先端に皺や折れを発生しにくくすることができる
また、前記押し込み手段は、薄肉板状の押し込み部材と、この押し込み部材を先端側に支持するアームと、このアームの基端を支点として当該アームを回動させることにより前記押し込み部材を前記巻芯において前記上流側ローラ寄りの部位に接近させる駆動手段とをさらに含む、構成とすることができる。
【００１４】
この構成では、前記押し込み部材の移動形態を特定しており、これにより、前記巻芯に前記フィルムを覆い被せる動作が明確になる。
【００１５】
さらに、前記フィルム巻取装置は、前記上流側ローラおよび前記下流側ローラをその中心軸周りに回転駆動するための駆動手段と、前記巻芯を前記上流側ローラおよび前記下流側ローラに押し付けるためのプレスローラとをさらに含む、構成とすることができる。
【００１６】
この構成では、前記上流側ローラおよび前記下流側ローラを駆動して前記巻芯を従動回転させる形態であることを特定している。
【００１７】
また、上記フィルム巻取装置は、前記下流側ローラにおいて前記上流側ローラと反対側の退避位置へ向けてフィルム満巻き状態の巻芯を転動させながら案内するための案内路と、この案内路の途中に設けられて前記フィルムを切断するための切断装置とをさらに含み、前記上流側ローラと前記下流側ローラとが横並びに配置され、前記巻芯は前記上流側ローラと前記下流側ローラとの間の上側に載せられていて、前記巻き付け部材は前記下流側ローラと前記案内路の入口との間の位置に配置されていて、前記巻き付け手段は、前記満巻き状態の巻芯を前記退避位置に移動させた状態で前記フィルムを切断してから、当該フィルムの切断端（先端）を前記巻き付け部材に吸着させて当該巻き付け部材を前記上流側ローラの上側位置へ移動させる、構成とすることができる。
【００１８】
この構成では、前記上流側ローラと前記下流側ローラと前記巻芯と前記巻き付け部材との相対的な位置関係を特定している。
【考案の効果】
【００１９】
本考案に係るフィルム巻取装置は、フィルムの巻き始めに皺や折れが発生するのを抑制または防止することができ、従来例で指摘したような巻芯に巻き取ったフィルムのロスを抑制または防止できるようになる。
【図面の簡単な説明】
【００２０】
【図１】本考案に係るフィルム巻取装置の一実施形態の要部を模式的に示す構成図である。
【図２】図１において巻芯にフィルムが満巻きされた状態を示す図である。
【図３】図２に続いて満巻き状態の巻芯を退避位置に移動させるときの様子を示す図である。
【図４】図３に続いて新たな巻芯を巻き取り位置に供給する途中段階を示す図である。
【図５】図４に続いて新たな巻芯を巻き取り位置に供給する前段階でフィルムを切断するときの様子を示す図である。
【図６】図５に続いて新たな巻芯を巻き取り位置に供給するときの様子を示す図である。
【図７】図６に続いて巻き付け部材にフィルムの切断端（先端）を吸着させた状態を示す図である。
【図８】図７に続いて巻き付け手段で新たな巻芯にフィルムを覆い被せるときの様子を示す図である。
【図９】図８に続いて押し込み手段でフィルムの切断端（先端）を新たな巻芯においてフロントローラ寄りの部位に押し付けるときの様子を示す図である。
【図１０】図９に続いてフィルムの切断端（先端）の弛みを取るときの様子を示す図である。
【考案を実施するための形態】
【００２１】
以下、本考案を実施するための最良の実施形態について添付図面を参照して詳細に説明する。
【００２２】
図１から図１０に、本考案の一実施形態を示している。まず、図１を参照して、本実施形態によるフィルム巻取装置１の構成について説明する。
【００２３】
フィルム巻取装置１は、不図示の原反のフィルム２を所定長ごとに巻芯３に巻き取るものである。
【００２４】
このフィルム巻取装置１は、図１に示すように、フロントローラ（上流側ローラに相当）４、バックローラ（下流側ローラに相当）５、タッチローラ６、プレスローラ７、巻き付け手段８、押し込み手段９、巻芯供給手段１０、巻芯排出手段２０などを備えている。
【００２５】
なお、フィルム２は、例えば厚みが薄くかつ幅が広く、長尺に形成されたものであって、例えば農業用広幅ポリエチレンフィルムなどとされる。巻芯３は、例えば紙あるいはプラスチックなどで円筒形に形成されている。
【００２６】
フロントローラ４およびバックローラ５は、巻芯３を回転させるものであって、横方向隣り合わせに配置されていて、駆動手段３０によりそれぞれ中心軸周りに同一方向に回転駆動されるようになっている。
【００２７】
なお、フロントローラ４とバックローラ５との間の上側がフィルム２の巻き取り位置となる。また、駆動手段３０は、詳細に図示していないが、モータ、減速機、動力伝達用のギヤ（またはプーリおよびベルト）などを含んで構成されている。
【００２８】
フロントローラ４は、アーム４１の先端に支持されている。アーム４１は、その基端４１ａを支点として不図示の駆動手段で図１の反時計回りに回動されるようになっている。このアーム４１を回動させたときには、フロントローラ４が図３の二点鎖線で示すようにバックローラ５の上側に接近する位置に移動されるが、アーム４１を回動復帰させるとフロントローラ４が図１に示すように元の位置に戻される。
【００２９】
タッチローラ６は、フィルム２をフロントローラ４の外周面に押圧させるものであって、アーム６１の先端に回転自在に支持されている。アーム６１は、その基端６１ａを支点として不図示の付勢手段で図１の反時計回りに回動させられるように付勢されている。この付勢力でタッチローラ６がフロントローラ４に押し付けられるようになっている。但し、アーム６１を不図示の駆動手段で前記付勢手段の付勢力に抗して逆向き、つまり図１の時計回りに回動させることが可能になっているので、そのように回動させたときにはタッチローラ６がフロントローラ４から離間させられる。
【００３０】
プレスローラ７は、フロントローラ４とバックローラ５との間の上側に配置されている巻芯３の上部に押し付けられることによって巻芯３をフロントローラ４およびバックローラ５に押し付けるものであって、アーム７１の先端に回転自在に支持されている。アーム７１は、その基端７１ａを支点として不図示の付勢手段で図１の反時計回りに回動させられるように付勢されている。この付勢力でプレスローラ７がフロントローラ４およびバックローラ５上の巻芯３に押し付けられるようになっている。但し、アーム７１を不図示の駆動手段で前記付勢手段の付勢力に抗して逆向き、つまり図１の時計回りに回動させることが可能になっているので、そのように回動させたときにはプレスローラ７がフロントローラ４およびバックローラ５側から上向きに離間させられる。
【００３１】
巻き付け手段８は、巻き付け部材８１、圧力調整手段８２、アーム８３、駆動手段８４などを備えている。
【００３２】
巻き付け部材８１は、巻芯３にフィルム２の先端を巻き付けるときに用いるものであって、円筒形の部材とされている。この巻き付け部材８１の円周所定位置の長手方向数ヶ所には、径方向あるいは肉厚方向の内外に貫通する孔８１ａが設けられている。
【００３３】
圧力調整手段８２は、巻き付け部材８１の内部空間の圧力を調整するものであって、詳細に図示していないが、巻き付け部材８１の内部空間にパイプなどを介して接続される吸引ポンプおよび加圧ポンプなどを含む。
【００３４】
この圧力調整手段８２は、巻き付け部材８１の内部空間の内圧を負圧にするように前記内部空間のエアを吸引することにより前記孔８１ａに前記フィルム２の先端を吸着する状態、または前記内部空間の内圧を高くするように前記内部空間にエアを導入することにより、前記孔８１ａからそれに吸着させているフィルム２の先端（切断端）を離して巻芯３においてフロントローラ４寄りの部位へ向かわせる状態にするために設けられている。
【００３５】
また、巻き付け部材８１は、アーム８３の先端に取り付けられている。このアーム８３は、その基端８３ａを支点として駆動手段８４でもって図１の時計回りに回動させられるようになっている。このアーム８３を回動させたときには、巻き付け部材８１が図８に示すようにフロントローラ４の上側に接近する位置に移動させられるが、アーム８３を回動復帰させると巻き付け部材８１が図１に示すように元の位置に戻される。
【００３６】
そして、巻き付け部材８１は、フィルム２の巻き取り処理時においてはバックローラ５と巻芯排出手段２０の案内路２１の入口との間に配置されていて、巻芯３の交換時において新たな巻芯３にフィルム２の先端（切断端）を巻き始める際にフロントローラ４の上側の所定位置にまで移動させることが可能になっている。
【００３７】
押し込み手段９は、押し込み部材９１、アーム９２、駆動手段９３などを備えている。
【００３８】
押し込み部材９１は、巻芯３に覆い被せるように巻き付けたフィルム２の先端（切断端）を巻芯３においてフロントローラ４寄りの部位に押し付けるときに用いるものであって、薄肉板状とされている。
【００３９】
この押し込み部材９１は、アーム９２の先端に取り付けられている。このアーム９２は、その基端９２ａを支点としてアーム９２を駆動手段９３でもって図１の反時計回りに回動させられるようになっている。このアーム９２を回動させたときには、押し込み部材９１が図９に示すようにフロントローラ４とバックローラ５との間の上側に接近する位置に移動させられるが、アーム９２を回動復帰させると押し込み部材９１が図１に示すように元の位置に戻される。
【００４０】
巻芯供給手段１０は、ホルダ１１、保持部材１２、アーム１３、押さえローラ１４などを備えている。
【００４１】
ホルダ１１は、多数の巻芯３を収容するものである。ホルダ１１の下部には、アーム１３がヒンジ部１１ａを介して取り付けられている。アーム１３の自由端側には保持部材１２がヒンジ部１２ａを介して取り付けられている。保持部材１２の長手方向一端側には、押さえローラ１４が取り付けられている。
【００４２】
保持部材１２の長手方向他端側には、ホルダ１１から供給される１つの巻芯３を保持するためのＶ字形状部１２ｂが設けられている。
【００４３】
アーム１３は、保持部材１２をフロントローラ４とバックローラ５との間の巻き取り位置に移動させるものであって、ヒンジ部１１ａを支点として不図示の駆動手段で図１の時計回りに回動させることが可能になっている。このようにアーム１３を回動させると、保持部材１２がフロントローラ４とバックローラ５との間の巻き取り位置に接近させられるが、アーム１３を回動復帰させると、図１に示すように元の位置に戻される。
【００４４】
押さえローラ１４は、フィルム２を下記切断装置２４で切断するときに、当該フィルム２を案内路２１に押し付けて不動にさせるように用いられる。
【００４５】
巻芯排出手段２０は、案内路２１、第１放出ローラ２２、第２放出ローラ２３、切断装置２４などを備えている。
【００４６】
案内路２１は、バックローラ５においてフロントローラ４と反対側の退避位置へ向けてフィルム２が満巻きされた状態（巻芯３のフィルム巻き取り径が予め規定した値に達した状態）の巻芯３を転動させながら案内するために設けられており、プレート状に形成されている。
【００４７】
第１放出ローラ２２と第２放出ローラ２３との間の上側が、満巻き状態の巻芯３を退避させるときの退避位置となる。第１放出ローラ２２および第２放出ローラ２３は、その中心軸周りに回転駆動されるようになっている。
【００４８】
第２放出ローラ２３は、満巻き状態の巻芯３を退避位置で受け止めるものであって、アーム２３ａの先端に回転自在に支持されている。このアーム２３ａは、その基端２３ｂを支点として不図示の駆動手段で図１の時計回りに回動させることが可能になっている。このアーム２３ａを回動させたときは、第２放出ローラ２３が第１放出ローラ２２よりも上側に配置させられるが、アーム２３ａを図１の反時計回りに回動復帰させると、第２放出ローラ２３が第１放出ローラ２２と隣り合う位置に戻される。
【００４９】
切断装置２４は、フィルム２を切断するために用いられるものであって、詳細に図示していないが、案内路２１の途中、例えば入口付近においてフィルム２の幅方向一方側に配置されている超硬刃を前記フィルム２の幅方向他方側へ向けて走行させることにより切断するように構成されている。
【００５０】
次に、上記したような構成のフィルム巻取装置１による動作を説明する。
【００５１】
まず、フロントローラ４およびバックローラ５を駆動手段３０により図１の矢印で示すように反時計回りに回転（正回転という）させる。これにより、巻芯３が図１において時計回りに従動回転させられることになって、この巻芯３にフィルム２が巻き取られることになる。
【００５２】
この巻き取り運転の進行に伴い、図２に示すように、巻芯３が満巻き状態になると、巻き取り運転を一時的に停止して、当該満巻き状態の巻芯３を新たな巻芯３と入れ替える。
【００５３】
詳しくは、プレスローラ７を図３に示すように持ち上げることにより満巻き状態の巻芯３から離してから、フロントローラ４および第２放出ローラ２３を図３の二点鎖線で示すようにそれぞれ持ち上げる。
【００５４】
このようにしてフロントローラ４を持ち上げると、前記満巻き状態の巻芯３が図３において左側に押されることになって、当該巻芯３が巻取位置から退避位置へ向けて案内路２１上を斜め下向きに転動させられるようになる。この巻芯３が第２放出ローラ２３に受け止められて停止すると、図４に示すように、フロントローラ４および第２放出ローラ２３を元の位置に戻す。これにより、前記満巻き状態の巻芯３が第１、第２放出ローラ２２，２３の間の上側に配置されることになる。
【００５５】
引き続いて、第１、第２放出ローラ２２，２３を図４において反時計回りに回転（正回転という）させて、その上に配置されている満巻き状態の巻芯３を従動回転させることによって、当該巻芯３に巻き掛けられているフィルム２および案内路２１上のフィルム２の弛みを取る。
【００５６】
この後、フロントローラ４とバックローラ５との間の巻き取り位置に新たな巻芯３を配置する。
【００５７】
詳しくは、巻芯供給手段１０のホルダ１１の先端から１つの巻芯３を斜め下向きに転がすことにより保持部材１２のＶ字形状部１２ｂに載せてから、図４に示すように、アーム１３を下向きに回動させることにより保持部材１２をフロントローラ４とバックローラ５との間の上側近傍にまで下げる。その過程において、アーム１３が図４に示すように水平姿勢になったときには、保持部材１２を図４の矢印方向に回動開始させることにより、アーム１３が斜め下向き姿勢になり始めてから保持部材１２のＶ字形状部１２ｂに載せている巻芯３が落ちることを防止する。
【００５８】
こうして、アーム１３が所定姿勢になると、その回動が停止されることになって、押さえローラ１４が図５に示すように案内路２１の上面にフィルム２越しに当接されることになる。これにより、押さえローラ１４でもってフィルム２が案内路２１に押し付けられるので、フィルム２が動かない状態になる。
【００５９】
この状態において、切断装置２４によりフィルム２を切断してから、保持部材１２を図６の矢印で示すように前下がり姿勢に回動復帰させると、押さえローラ１４が案内路２１から離れるように上昇することになる。これにより、保持部材１２のＶ字形状部１２ｂに載せている巻芯３が図６に示すようにフロントローラ４とバックローラ５との間へ向けて転がり落ちてフロントローラ４とバックローラ５との間のフィルム２上に載せられることになる。
【００６０】
このようにしてから、第１、第２放出ローラ２２，２３を図６の矢印で示すように反時計回りに回転（正回転という）させることによって、その上に配置されている満巻き状態の巻芯３を時計回りに従動回転させると、当該巻芯３にフィルム２の巻尻（巻き取り終り側の切断端）が巻き付けられることになる。
【００６１】
その一方で、フロントローラ４およびバックローラ５を図７の矢印で示すように時計回りに所定角度だけ回転（逆回転という）させてフィルム２を巻き戻すことにより、当該フィルム２の切断端を巻き付け部材８１の孔８１ａの上に配置させる。このとき、新たな巻芯３は図７において反時計回りに従動回転させられるので、フィルム２が皺になることはない。
【００６２】
この後、アーム１３を上向きに回動復帰させることにより保持部材１２を巻芯供給手段１０のホルダ１１の近傍に戻してから、前記切断したフィルム２の切断端（先端）を前記新たな巻芯３に巻き付ける。
【００６３】
詳しくは、前記巻き付け部材８１の内部空間を圧力調整手段８２でもって負圧にすることにより、図７に示すように巻き付け部材８１の孔８１ａに前記フィルム２の切断端を吸着させる。
【００６４】
この状態において、巻き付け手段８のアーム８３を図８の二点鎖線矢印で示すように回動させることによって、巻き付け部材８１を新たな巻芯３を越えてフロントローラ４の上側の所定位置にまで移動させることにより、新たな巻芯３の外周にフィルム２を覆い被せるようにして巻き付ける。
【００６５】
この状態において、前記巻き付け部材８１の内部空間に圧力調整手段８２でもってエアを瞬時供給することにより、当該巻き付け部材８１の孔８１ａからそれに吸着させていたフィルム２の切断端を離す。これにより、フィルム２の切断端が新たな巻芯３においてフロントローラ４寄りの部位に向かうようになる。
【００６６】
この後、図９に示すように、巻き付け手段８のアーム８３を回動復帰させてから、押し込み手段９のアーム９２を回動させることによって押し込み部材９１の先端を巻芯３においてフロントローラ４寄りの部位へ接近させて、当該押し込み部材９１の先端でフィルム２の切断端を巻芯３においてフロントローラ４寄りの部位に沿わせるように押し付ける。
【００６７】
引き続いて、押し込み部材９１の先端でフィルム２の切断端を巻芯３においてフロントローラ４寄りの部位に沿わせるように押し付けた状態のまま、フロントローラ４およびバックローラ５を図１０の矢印で示すように瞬時において時計回りに回転（逆回転という）させることによりフロントローラ４と新たな巻芯３との間の弛みを取り、押し込み手段９のアーム９２を回動復帰させる。この後、タッチローラ６をフロントローラ４から一時的に引き離してから、タッチローラ６を再度フロントローラ４にフィルム２越しに当接させる。
【００６８】
このようにしてから、フィルム２の巻き取り運転を再開する。つまり、プレスローラ７を新たな巻芯３にフィルム２越しに押し付けてから、フロントローラ４およびバックローラ５を正回転させることにより、巻芯３を図１の時計回りに従動回転させて当該巻芯３にフィルム２を巻き取らせる。
【００６９】
以上説明したように本考案を適用した実施形態のフィルム巻取装置１によれば、巻芯３にフィルム２の先端（または切断端）を巻き始めるにあたって、フィルム２の先端を巻き付け部材８１に吸着することにより皺や折れが発生しないように固定しておいて、この巻き付け部材８１に吸着されたフィルム２を巻芯３に覆い被せるように巻き付け部材８１を動かし、押し込み部材９１でもって前記フィルム２の先端を巻芯３においてフロントローラ４寄りの部位に押し付けることができる。
【００７０】
これにより、巻芯３にフィルム２の先端に皺や折れを発生させることなく巻き始めることができるようになるから、従来例で指摘したような巻芯３に巻き取ったフィルム２のロスを抑制または防止できるようになる。
【００７１】
なお、本考案は、上記実施形態のみに限定されるものではなく、実用新案登録請求の範囲内および当該範囲と均等の範囲内で適宜に変更することが可能である。
【００７２】
上記実施形態では、フロントローラ４およびバックローラ５を駆動側として巻芯３を従動側とする場合を例に挙げているが、本考案はこれのみに限定されるものではなく、例えば巻芯３を駆動側とすることも可能である。
【００７３】
詳細に図示していないが、巻芯３を駆動軸に取り付け、フロントローラ４およびバックローラ５を従動側として前記巻芯３に弾性的に付勢するように構成するとともに、巻芯３に対するフィルムの巻き取りが進行して巻芯３の外径寸法が増大するに従い自動的にフロントローラ４およびバックローラ５を前記付勢力に抗して前記駆動軸から離れるように構成することができる。
【００７４】
この場合であっても、前記新たな巻芯３にフィルム２の先端（切断端）を巻き始めるときの処理については上記実施形態と同様にすることができ、上記実施形態と同様の作用、効果が得られる。
【産業上の利用可能性】
【００７５】
本考案は、フィルムの先端を巻芯に巻き付けて、前記巻芯を回転させることにより前記フィルムを巻き取るフィルム巻取装置に好適に利用することができる。
【符号の説明】
【００７６】
１    フィルム巻取装置
２    フィルム
３    巻芯
４    フロントローラ（上流側ローラ）
５    バックローラ（下流側ローラ）
８    巻き付け手段
８１  巻き付け部材
８１ａ  孔
８２  圧力調整手段
８３  アーム
８３ａ  基端
８４  駆動手段
９    押し込み手段
９１  押し込み部材
９２  アーム
９２ａ  基端
９３  駆動手段
３０    駆動手段
【図１】
0003200506.tif 000003
【図２】
0003200506.tif 000004
【図３】
0003200506.tif 000005
【図４】
0003200506.tif 000006
【図５】
0003200506.tif 000007
【図６】
0003200506.tif 000008
【図７】
0003200506.tif 000009
【図８】
0003200506.tif 000010
【図９】
0003200506.tif 000011
【図１０】
0003200506.tif 000012